(57)【要約】【課題】設計の自由度を向上させて、プランの数を増大させることが出来ると共に、所望の強度を良好な施工性で得られるユニット住宅に用いて好適なユニット住宅の屋根構造を提供する。【解決手段】段違い屋根形状を有するユニット住宅１０の屋根構造である。第１の屋根ユニット１６には、第２の屋根ユニット１７の第２の屋根２３の垂木２５の延長線Ｌ上に、前記第１の屋根２０と縦壁１９とを連結する補強材２６が設けられている。更に、第１の屋根ユニット１６の縦壁１９を構成する壁縦枠材２９と、第２の屋根ユニット１７の第２の屋根２３の垂木２５とが、連結プレート３２によって連結されている。【選択図】図１
2004270334.tif 000002
【特許請求の範囲】
【請求項１】
壁と、該壁の上端を棟とする第１の屋根が一体化された第１の屋根ユニットと、前記壁の中間部に上端が突き当てられる第２の屋根が形成された第２の屋根ユニットとを有する屋根部が設けられたユニット住宅の屋根構造であって、
前記第１の屋根ユニットには、第２の屋根ユニットの第２の屋根の垂木の延長線上に、前記第１の屋根と壁とを連結する補強材が設けられていて、更に、第１の屋根ユニットの壁を構成する壁縦枠材と、第２の屋根ユニットの垂木とを連結する連結材を有することを特徴とするユニット住宅の屋根構造。
【請求項２】
前記壁の中間部に第２の屋根の上端が突き当てられる部分には、該壁の中間部と、該第２の屋根の上端との間を連結する野地つなぎプレートが設けられていることを特徴とする請求項１記載のユニット住宅の屋根構造。
【請求項３】
前記第１の屋根ユニットの内部には、床部を有する小屋根裏空間が設けられていることを特徴とする請求項１又は２記載のユニット住宅の屋根構造。
【発明の詳細な説明】
【０００１】
【発明の属する技術分野】
この発明は、段違い屋根を設けたユニット住宅の屋根構造に関するものである。
【０００２】
【従来の技術】
段違い屋根を有する建物としては、図８に示すようなものが知られている（例えば、特許文献１参照。）。
【０００３】
このような建物１によれば、建物上部を構成する屋根部２には、この屋根部２に設けられた縦壁３に対して、上端４ａを接合して棟とする第１の屋根４が設けられていると共に、前記縦壁３の上下方向中間部に上端５ａが突き当てられて第２の屋根５が設けられて、いわゆる段違い屋根が形成されている。
【０００４】
このような段違い屋根からなる屋根部２では、下階天井面に沿って天井構面Ａを設けて、所望の強度を確保したり、前記第２の屋根５の垂木Ｂ等を延設して、前記縦壁３を貫通させると共に、前記第１の屋根４の裏面側に当接させて連結することにより、所望の強度を得るようにしている。
【０００５】
【特許文献１】
特開平８−１３０９９２号公報
【０００６】
【発明が解決しようとする課題】
しかしながら、このような建物１では、前記天井構面Ａを、下階天井部の略全面に形成すると、吹き抜けやロフト（小屋根裏部屋）が設けにくくなり、設計の自由度が減少してしまうといった問題があった。
【０００７】
また、前記垂木Ｂを延設する工法は、建物ユニット単位で搬送されるユニット住宅では、建物ユニット単位で、垂木Ｂ等の部材が切断されてしまうので、採用不可能であるといった問題もあった。
【０００８】
そこで、この発明は、設計の自由度を向上させて、プランの数を増大させることが出来ると共に、所望の強度を良好な施工性で得られるユニット住宅に用いて好適なユニット住宅の屋根構造を提供することを目的としている。
【０００９】
【課題を解決するための手段】
上記目的を達成するために、請求項１に記載された発明では、壁と、該壁の上端を棟とする第１の屋根が一体化された第１の屋根ユニットと、前記壁の中間部に上端が突き当てられる第２の屋根が形成された第２の屋根ユニットとを有する屋根部が設けられたユニット住宅の屋根構造であって、前記第１の屋根ユニットには、第２の屋根ユニットの第２の屋根の垂木の延長線上に、前記第１の屋根と壁とを連結する補強材が設けられていて、更に、第１の屋根ユニットの壁を構成する壁縦枠材と、第２の屋根ユニットの垂木とを連結する連結材を有するユニット住宅の屋根構造を特徴としている。
【００１０】
このように構成された請求項１記載のものでは、前記補強材が、前記第１の屋根ユニットのうち、第２の屋根ユニットの第２の屋根の垂木の延長線上に設けられて、前記第１の屋根と壁とが連結される。
【００１１】
このため、第２の屋根ユニットから第１の屋根ユニットの壁に向けて入力される荷重は、該補強材によって、前記第１の屋根にも分散されて負担される。
【００１２】
また、第１の屋根ユニットと第２の屋根ユニットとの間に発生する引張力は、前記連結材によって保持される。
したがって、所望の強度を容易に得ることができる。
【００１３】
そして、予め、該第１の屋根ユニットの内部に前記補強材を設けておいても、前記第１の屋根ユニット及び第２の屋根ユニットの搬送の妨げとならない。
【００１４】
このため、良好な施工性が得られて、ユニット住宅に用いて好適である。
【００１５】
更に、請求項２に記載されたものでは、前記壁の中間部に第２の屋根の上端が突き当てられる部分には、該壁の中間部と、該第２の屋根の上端との間を連結する野地つなぎプレートが設けられている請求項１記載のユニット住宅の屋根構造を特徴としている。
【００１６】
このように構成された請求項２記載のものでは、前記野地つなぎプレートによって、前記壁の中間部に第２の屋根の上端が突き当てられる部分に、該壁の中間部と、該第２の屋根の上端との間が連結される。
【００１７】
このため、第１の屋根ユニットと第２の屋根ユニットとの間に発生する棟延設方向に沿うズレが防止される。
【００１８】
そして、請求項３に記載されたものでは、前記第１の屋根ユニットの内部には、床部を有する小屋根裏空間が設けられている請求項１又は２記載のユニット住宅の屋根構造を特徴としている。
【００１９】
このように構成された請求項３記載のものでは、前記第１の屋根ユニットの内部に設けられた小屋根裏空間の床部が、水平構面となるので、更に、安定した強度を得られる。
【００２０】
【発明の実施の形態１】
次に、図面に基づいて、この発明の実施の形態１を説明する。
【００２１】
なお、前記従来と同一乃至均等な部分については同一符号を付して説明する。
【００２２】
図１乃至図７は、この発明の実施の形態１のユニット建物としてのユニット住宅１０を示す図である。
【００２３】
まず、構成を説明すると、この発明の実施の形態１に係るユニット住宅１０は、基礎１１と、基礎１１上に載置されて１階部分を構成する複数の建物ユニットとしての１階居室ユニット１２，１２と、２階部分を構成する２階居室ユニット１３，１３と、この２階居室ユニット１３，１３の上部に載置されて、隣接して組み合わせられることにより、段違い屋根形状の屋根部１５を構成する第１の屋根ユニット１６，第２の屋根ユニット１７及び、この第１の屋根ユニット１６を挟んで、第２の屋根ユニット１７の反対側に載置される軒先側屋根ユニット１８等とによって主に構成されている。
【００２４】
このうち、前記第１の屋根ユニット１６は、ユニット住宅１０妻方向略中央部に載置されて装着されるように構成されている。
【００２５】
この第１の屋根ユニット１６は、前記第２の屋根ユニット１７側に設けられて、上下方向及び、このユニット住宅１０の棟方向に延設方向を沿わせる壁としての縦壁１９と、この縦壁１９の上端１９ａを棟とする第１の屋根２０が一体化されている。
【００２６】
また、この実施の形態１では、この第１の屋根ユニット１６の内部には、床部２１を有する小屋根裏空間２２が設けられている。
【００２７】
更に、前記第２の屋根ユニット１７には、第２の屋根２３が形成されている。
【００２８】
この第２の屋根２３は、図４に示すように、前記ユニット住宅１０の上部への載置により、前記縦壁１９の中間部１９ｃに、上端２４が突き当てられるように構成されている。
【００２９】
そして、前記第１の屋根ユニット１６には、第２の屋根ユニット１７の第２の屋根２３に設けられた垂木２５の延長線Ｌ上に、前記第１の屋根２０と縦壁１９とを連結する補強材２６が設けられている。
【００３０】
この補強材２６の一端部２６ａは、図５に示すように、金属製の補強プレート２７を複数の釘２８…を用いて側面から固定することにより、前記第１の屋根ユニット１６の縦壁１９を構成する壁縦枠材２９に端面を当接させて接続されている。
【００３１】
また、この補強材２６の他端部２６ｂが、金属製の補強プレート３０を複数の釘２８…を用いて側面から固定することにより、前記第１の屋根ユニット１６の第１の屋根部２０の裏面側に設けられた垂木３１に端面を当接させて固定されて、これらの壁縦枠材２９及び垂木３０間に介在されている。
【００３２】
更に、この実施の形態１のユニット住宅１０には、金属製の連結材としての連結プレート３２が設けられている。
【００３３】
この連結プレート３２は、前記第１の屋根ユニット１６及び第２の屋根ユニット１７を隣接配置した後、図６に示すように、前記第１の屋根ユニット１６の縦壁１９を構成する壁縦枠材２９に、一端部３２ａが複数の釘２８…によって固定されて接続されると共に、他端部３２ｂが、複数の釘２８…によって、前記第２の屋根ユニット１７の第２の屋根２３を構成する垂木２５と連結されることにより、前記第１の屋根ユニット１６及び第２の屋根ユニット１７間を連結するように構成されている。
【００３４】
そして、更に、この実施の形態１のユニット住宅１０では、図７に示すような野地つなぎプレート３４が設けられている。
【００３５】
この野地つなぎプレート３４は、金属板材の形状を、前記縦壁１９の中間部１９ｃに第２の屋根２３の上端２４が突き当てられる部分の角度に合わせて、折曲して縦断面略くの字状を呈するように構成されて、複数の釘孔３４ａ…，及び３４ｂが形成されている。
【００３６】
そして、この野地つなぎプレート３４は、前記１ユニット当り３カ所、設けられて、図６に示すように、前記縦壁１９の中間部１９ｃに第２の屋根２３の上端２４が突き当てられる部分で、縦壁１９の中間部１９ｃと、第２の屋根２３の上端２４との間を前記釘２８…を用いて連結するように構成されている。
【００３７】
次に、この実施の形態１の作用について、主に図４乃至図６を用いて説明する。
【００３８】
この実施の形態１では、ユニット住宅を構築する際、前記基礎１１上に前記１階居室ユニット１２，１２及び２階居室ユニット１３，１３を載置した後、この２階居室ユニット１３，１３の上部に、段違い屋根形状の屋根部１５を構成する中央の第１の屋根ユニット１６，第２の屋根ユニット１７及び、この第１の屋根ユニット１６を挟んで、第２の屋根ユニット１７の反対側に、前記軒先側屋根ユニット１８を載置して装着する。
【００３９】
図５に示すように、前記補強材２６が、前記第１の屋根ユニット１６の内部には、図４に示す第２の屋根ユニット１７の第２の屋根２３を構成する垂木２５の延長線Ｌ上に設けられて、前記第１の屋根２０と縦壁１９とが連結される。
【００４０】
このため、第２の屋根ユニット７から第１の屋根ユニット１６の縦壁１９に向けて入力される荷重は、この補強材２６によって、前記第１の屋根部２０の裏面側の垂木３１にも分散されて負担される。
【００４１】
次に、図６に示すように、前記第１の屋根ユニット１６及び第２の屋根ユニット１７が隣接配置された後、前記第１の屋根ユニット１６の縦壁１９を構成する壁縦枠材２９に、前記連結プレート３２の一端部３２ａが複数の釘２８…によって固定されて接続されると共に、他端部３２ｂが、複数の釘２８…によって、前記第２の屋根ユニット１７の第２の屋根２３を構成する垂木１５と連結されることにより、前記第１の屋根ユニット１６及び第２の屋根ユニット１７間が連結される。
【００４２】
このため、第１の屋根ユニット１６と第２の屋根ユニット１７との間に発生する引張力は、前記連結プレート３２によって保持される。
【００４３】
したがって、所望の強度を容易に得ることができる。
【００４４】
そして、予め、第１の屋根ユニット１６の内部に前記補強材２６が設けられていても、前記第１の屋根ユニット１６及び第２の屋根ユニット１７から突出する部分がないので、搬送の妨げとならない。
【００４５】
このため、良好な施工性が得られて、工場にて建物ユニットの構築を大半完了するユニット住宅に用いて好適である。
【００４６】
更に、この実施の形態１では、図７に示す前記野地つなぎプレート３４によって、図６に示すように、前記縦壁１９の中間部１９ｃに第２の屋根２３の上端２４が突き当てられる部分において、縦壁１９の中間部１９ｃと、第２の屋根２３の上端２４との間が、複数の釘２８…によって固定されて連結される。
【００４７】
このため、第１の屋根ユニット１６と第２の屋根ユニット１７との間に発生する棟延設方向（図６中紙面直交方向）に沿うズレが防止される。
【００４８】
そして、この実施の形態１では、前記第１の屋根ユニット１６の内部に設けられた小屋根裏空間２２の床部２１が、水平構面となるので、更に、安定した強度を得られる。
【００４９】
以上、図面を参照して、本発明の実施の形態１を詳述してきたが、具体的な構成は、これらの実施の形態１に限らず、本発明の要旨を逸脱しない程度の設計的変更は、本発明に含まれる。
【００５０】
例えば、実施の形態１では、前記第１の屋根ユニット１６に、壁面材からなる縦壁１９が形成されるものを用いて説明してきたが、特にこれに限らず、例えば、前記縦壁１９には、図２に示すように、上部窓部１９ｂを設けて、採光及び換気が行えるように構成されていてもよい。
【００５１】
【発明の効果】
以上説明してきたように、この発明の請求項１に記載されたものによれば、前記補強材が、前記第１の屋根ユニットのうち、第２の屋根ユニットの第２の屋根の垂木の延長線上に設けられて、前記第１の屋根と壁とが連結される。
【００５２】
このため、第２の屋根ユニットから第１の屋根ユニットの壁に向けて入力される荷重は、該補強材によって、前記第１の屋根にも分散されて負担される。
【００５３】
また、第１の屋根ユニットと第２の屋根ユニットとの間に発生する引張力は、前記連結材によって保持される。
【００５４】
したがって、所望の強度を容易に得ることができる。
【００５５】
そして、予め、該第１の屋根ユニットの内部に前記補強材を設けておいても、前記第１の屋根ユニット及び第２の屋根ユニットの搬送の妨げとならない。
【００５６】
このため、良好な施工性が得られて、ユニット住宅に用いて好適である。
【００５７】
更に、請求項２に記載されたものでは、前記野地つなぎプレートによって、前記壁の中間部に第２の屋根の上端が突き当てられる部分に、該壁の中間部と、該第２の屋根の上端との間が連結される。
【００５８】
このため、第１の屋根ユニットと第２の屋根ユニットとの間に発生する棟延設方向に沿うズレが防止される。
【００５９】
そして、請求項３に記載されたものでは、前記第１の屋根ユニットの内部に設けられた小屋根裏空間の床部が、水平構面となるので、更に、安定した強度を得られる、という実用上有益な効果を発揮する。
【図面の簡単な説明】
【図１】この発明の実施の形態１に係るユニット住宅を示す側面図である。
【図２】実施の形態１のユニット住宅を示し、図３中Ｃ−Ｃ線に沿った位置での断面図である。
【図３】実施の形態１に係るユニット住宅の構成を示す全体の斜視図である。
【図４】実施の形態１のユニット住宅で、第１の屋根ユニットと第２の屋根ユニットとを隣接配置する様子を示す拡大断面図である。
【図５】実施の形態１のユニット住宅で、第１の屋根ユニット内部に補強材を固定する様子を説明する拡大断面図である。
【図６】実施の形態１のユニット住宅で、隣接配置された第１の屋根ユニットと第２の屋根ユニットとを連結する様子を示す要部の拡大断面図である。
【図７】実施の形態１のユニット住宅に用いられる野地つなぎプレートの斜視図である。
【図８】従来例の建物の構成を説明する斜視図である。
【符号の説明】
１０          ユニット住宅
１６          第１の屋根ユニット
１７          第２の屋根ユニット
１９          縦壁（壁）
１９ａ        上端
１９ｃ        中間部
２０          第１の屋根
２１          床部
２２          小屋根裏空間
２３          第２の屋根
２４          上端
２５          垂木
２６          補強材
３２          連結プレート（連結材）
３４          野地つなぎプレート
【図１】
2004270334.tif 000003
【図２】
2004270334.tif 000004
【図３】
2004270334.tif 000005
【図４】
2004270334.tif 000006
【図５】
2004270334.tif 000007
【図６】
2004270334.tif 000008
【図７】
2004270334.tif 000009
【図８】
2004270334.tif 000010